(57)【要約】【課題】温水洗浄時、水槽内の次亜塩素酸濃度が所定の値を超えた場合、異臭の発生を防止することができる洗濯機を提供すること。【解決手段】洗濯物を収容し回転自在なドラム３と、ドラム３を収容する水槽２と、ドラム３を回転駆動する駆動部７と、水槽２内の次亜塩素酸濃度を検知する次亜塩素酸濃度検知部１７と、水槽２に洗濯液を給水する給水部１０と、水槽２の洗濯液を排水する排水部２３と、洗濯液を加熱する加熱部１５と、洗い、すすぎ、脱水の各工程を逐次制御する制御部２５とを備え、制御部２５は、温水洗浄が設定された時、水槽２内の次亜塩素酸濃度が所定の値を超えた場合、排水部２３により排水し、異臭の発生を防ぐ。【選択図】図１
2015029812.tif 000002
【特許請求の範囲】
【請求項１】
洗濯物を収容し回転自在なドラムと、前記ドラムを収容する水槽と、前記ドラムを回転駆動する駆動部と、前記水槽内の次亜塩素酸濃度を検知する次亜塩素酸濃度検知部と、前記水槽に洗濯液を給水する給水部と、前記水槽の洗濯液を排水する排水部と、洗濯液を加熱する加熱部と、洗い、すすぎ、脱水の各工程を逐次制御する制御部とを備え、前記制御部は、温水洗浄が設定された時、前記水槽内の次亜塩素酸濃度が所定の値を超えた場合、前記排水部により排水する洗濯機。
【請求項２】
洗濯物を収容し回転自在なドラムと、前記ドラムを収容する水槽と、前記ドラムを回転駆動する駆動部と、前記水槽内の次亜塩素酸濃度を検知する次亜塩素酸濃度検知部と、前記水槽に洗濯液を給水する給水部と、前記水槽の洗濯液を排水する排水部と、洗濯液を加熱する加熱部と、洗い、すすぎ、脱水の各工程を逐次制御する制御部とを備え、前記制御部は、温水洗浄が設定された時、前記水槽内の次亜塩素酸濃度が所定の値を超えた場合、前記給水部により給水する洗濯機。
【請求項３】
洗濯物を収容し回転自在なドラムと、前記ドラムを収容する水槽と、前記ドラムを回転駆動する駆動部と、前記水槽内の次亜塩素酸濃度を検知する次亜塩素酸濃度検知部と、前記水槽に洗濯液を給水する給水部と、前記水槽の洗濯液を排水する排水部と、洗濯液を加熱する加熱部と、洗濯機に通常とは異なる状況が発生したことを使用者に報知する報知部と、洗い、すすぎ、脱水の各工程を逐次制御する制御部とを備え、部前記制御部は、温水洗浄が設定された時、前記水槽内の次亜塩素酸濃度が所定の値を超えた場合、前記報知部により報知する洗濯機。
【発明の詳細な説明】
【技術分野】
【０００１】
本発明は、衣類等の洗濯を行う洗濯機に関する。
【背景技術】
【０００２】
従来の洗濯機には、洗濯液を加熱手段により昇温させることにより、汚れを落としやすくしているものがある（例えば、特許文献１参照）。
【０００３】
図６は、従来の洗濯機の断面図である。図６において、水を供給する給水口６２と、給水口６２から洗濯槽６３に至る給水経路を主水路６４とバイパス経路６５に分岐する切換弁６６とを備え、バイパス経路６５の途中に適温制御機能付加熱器６７を設けている。そして適温制御機能付加熱器６７は、図７に示すように、液体としての水を加熱する発熱体としてシーズヒータ７４と、シーズヒータ７４の外周を囲って流路７５を構成する円筒状のケース７６と、流路７５を螺旋状に構成するための乱流生成手段としてのばね７７で構成されている。そして給水された低温の洗濯液を適温制御機能付加熱器６７により高温に変換するものである。
【０００４】
これにより、洗濯液の温度が上がることで洗剤成分が活性化し、洗濯物にこびりついて落ちにくい汚れが落ちやすくなり、洗浄力が向上する。
【先行技術文献】
【特許文献】
【０００５】
【特許文献１】特開２００６−４３１００号公報
【発明の概要】
【発明が解決しようとする課題】
【０００６】
しかしながら、前記従来の構成では、どのような溶液が入っても適温制御機能付加熱器により昇温してしまうため、例えば使用者により一般に販売されている槽洗浄用等の塩素系漂白剤が洗濯槽に投入され、誤って温水洗浄が設定されると、塩素系漂白剤に含まれる次亜塩素酸が加熱されることにより、分解反応が生じ、異臭が発生するという課題を有していた。
【０００７】
本発明は、前記従来の課題を解決するもので、温水洗浄が設定された時、水槽内の次亜塩素酸濃度が所定の値を超えた場合、異臭の発生を防止するように制御する洗濯機を提供することを目的とする。
【課題を解決するための手段】
【０００８】
前記従来の課題を解決するために、本発明の洗濯機は、洗濯物を収容し回転自在なドラムと、前記ドラムを収容する水槽と、前記ドラムを回転駆動する駆動部と、前記水槽内の次亜塩素酸の濃度を検知する次亜塩素酸濃度検知部と、前記水槽に洗濯液を給水する給水部と、前記水槽の洗濯液を排水する排水部と、洗濯液を加熱する加熱部と、洗い、すすぎ、脱水の各工程を逐次制御する制御部を備え、前記制御部は、温水洗浄が設定された時、前記水槽内の次亜塩素酸濃度が所定の値を超えた場合、前記排水部により排水するようにしたものである。
【０００９】
次亜塩素酸濃度が所定の値を超えた場合に排水するように制御することで、次亜塩素酸の濃度上昇を防止して異臭の発生を防ぐことができる。
【発明の効果】
【００１０】
本発明の洗濯機は、塩素系漂白剤の使用が想定される洗濯機において、温水洗浄が設定された時、次亜塩素酸濃度が所定の値を超えるような異臭の発生を防ぐことができる洗濯機を実現することができる。
【図面の簡単な説明】
【００１１】
【図１】本発明の実施の形態１〜３における洗濯機の断面図
【図２】本発明の実施の形態１における洗濯機の動作を示すフローチャート
【図３】本発明の実施の形態２における洗濯機の動作を示すフローチャート
【図４】本発明の実施の形態３における洗濯機の動作を示すフローチャート
【図５】本発明の実施の形態１〜３における洗濯機のブロック図
【図６】従来の洗濯機の断面図
【図７】従来の洗濯機の適温制御機能付加熱器の断面図
【発明を実施するための形態】
【００１２】
第１の発明の洗濯機は、洗濯物を収容し回転自在なドラムと、前記ドラムを収容する水槽と、前記ドラムを回転駆動する駆動部と、前記水槽内の次亜塩素酸の濃度を検知する次亜塩素酸濃度検知部と、前記水槽に洗濯液を給水する給水部と、前記水槽の洗濯液を排水する排水部と、洗濯液を加熱する加熱部と、洗い、すすぎ、脱水の各工程を逐次制御する制御部とを備え、前記制御部は、温水洗浄が設定された時、前記水槽内の次亜塩素酸濃度が所定の値を超えた場合、前記排水部により洗濯液を排水するものである。これにより、水槽内の次亜塩素酸を加熱することによる濃度上昇を防止して異臭の発生を防ぐことができる。
【００１３】
第２の発明の洗濯機は、洗濯物を収容し回転自在なドラムと、前記ドラムを収容する水槽と、前記ドラムを回転駆動する駆動部と、前記水槽内の次亜塩素酸濃度を検知する次亜塩素酸濃度検知部と、前記水槽に洗濯液を給水する給水部と、前記水槽の洗濯液を排水する排水部と、洗濯液を加熱する加熱部と、洗い、すすぎ、脱水の各工程を逐次制御する制御部とを備え、前記制御部は、温水洗浄が設定された時、前記水槽内の次亜塩素酸濃度が所定の値を超えた場合、前記給水部により給水するものである。これにより、水槽内の洗濯液の温度を下げることにより、次亜塩素酸の濃度上昇を防止して異臭の発生を防ぐことができる。
【００１４】
第３の発明の洗濯機は、洗濯物を収容し回転自在なドラムと、前記ドラムを収容する水槽と、前記ドラムを回転駆動する駆動部と、前記水槽内の次亜塩素酸濃度を検知する次亜塩素酸濃度検知部と、前記水槽に洗濯液を給水する給水部と、前記水槽の洗濯液を排水する排水部と、洗濯液を加熱する加熱部と、洗濯機に通常とは異なる状況が発生したことを使用者に報知する報知部と、洗い、すすぎ、脱水の各工程を逐次制御する制御部とを備え、前記制御部は、温水洗浄が設定された時、前記水槽内の次亜塩素酸濃度が所定の値を超えた場合、前記報知部により報知するものである。これにより、誤った使用方法で異臭が発生したことを使用者に知らせ、それ以上の異臭の発生を防ぐことができる。
【００１５】
以下、本発明の実施の形態について、図面を参照しながら説明する。なお、本実施の形態によって、本発明が限定されるものではない。
【００１６】
（実施の形態１）
図１は、本発明の実施の形態１〜３におけるドラム式洗濯機の断面図である。ドラム式洗濯機の筐体１は、その内部には洗濯液を溜める水槽２を前上がりに傾斜させた状態に配設しており、吊り下げばね（図示せず）およびダンパー（図示せず）によって弾性支持している。水槽２内には洗濯物を収容する有底円筒状のドラム３が回転可能に設けられてい
る。ドラム３内の周側壁面には、洗濯物を持ち上げるための複数のバッフル４と、水槽２内と連通する多数の小孔５が設けられ、前面側には洗濯物を出し入れする開口部６が設けられている。
【００１７】
ドラム３を回転駆動する駆動部７は、水槽２の外周下部に固定され、ベルト８およびプーリー９を介してドラム３を回転させる構成となっている。水槽２内に洗濯液を供給する給水部１０としての給水弁１１は、給水路１２中に設けられた洗剤を投入する洗剤ケース１３を介して水槽２内に洗濯液を供給する。
【００１８】
水槽２内には水溜部１４が設けられている。この水溜部１４内に水槽２内に溜められる洗濯液の水面と略平行にヒータ等の加熱部１５が配設され、水溜部１４に溜められた洗濯液を洗濯に適した所定の温度（例えば、３０〜９０℃）に加熱する。水溜部１４の温度はサーミスタ等の温度検知部１６（図１には図示せず）によって検知する。また、水溜部１４底部に次亜塩素酸濃度検知部１７を設け、水溜部１４に溜められた塩素系漂白剤の次亜塩素酸の濃度が所定の濃度（例えば１００ｐｐｍ）になるのを検知する。次亜塩素酸濃度検知部１７は、市販されている回転金電極を用いたポーラグラフ法によるセンサを用いることができる。
【００１９】
水槽２内の水溜部１４に溜められた洗濯液は、循環水路１８に設けたポンプ等の循環部１９によってドラム３内へ循環させる。水溜部１４の底部に循環水路１８と連通した洗濯液を吸い込む吸い込み部２０を設け、ドラム３内の前面部に設けた開口部６の上部に、吸い込み部２０から吸い込まれた洗濯液を循環水路１８を経由してドラム３内に向けて洗濯液が吐出されるように吐出部２１を設けている。
【００２０】
循環水路１８の循環部１９より下流側に排水部２３の切換弁２２が設けてあり、吐出部２１に通じる循環水路１８と洗濯液を機外へ排出する排水路２４のいずれかに選択的に切換える。洗いおよびすすぎ時は、水溜部１４内の洗濯液を循環水路１８を通じて吐出部２１からドラム３内の洗濯物に向けて吐出し、洗いおよびすすぎ後の洗濯液を、排水路２４を通じて機外へ排出する。
筐体１内に設けられた制御部２５は、駆動部７、給水部１０、加熱部１５、循環部１９、排水部２３等を駆動し、洗い、すすぎ、脱水の各工程を逐次制御する。
【００２１】
以上のように構成されたドラム式洗濯機について、以下その動作、作用を図２および図５を用いて説明する。図２は本発明の実施の形態１におけるドラム式の洗濯機の動作を示すフローチャートであり、図５は同洗濯機のブロック図である。
【００２２】
使用者が、筐体１の前面側に設けた扉２６を開いて開口部６からドラム３内に衣類等の洗濯物と塩素系漂白剤等を投入し、操作部２７の電源スイッチ（図示せず）をオンし、スタートスイッチ（図示せず）を操作すると、制御部２５は、給水弁１１を動作して給水を開始し、所定量の給水が行われるとドラム３を断続的に回転駆動し、洗い工程を開始する。給水は水位検知部２８（図１には図示せず）により、あらかじめ設定された水位に到達したことを検知すると停止させる。なお、水位検知はドラム３の回転駆動停止中１回に限らず、２回、３回と検知することができる。
【００２３】
給水が終了すると、加熱部１５を通電させ、洗濯液をあらかじめ設定された温度（例えば４０℃など）まで加熱するように制御される。洗濯液は温度検知部１６により検知され、設定温度（例えば４０℃など）まで加熱される。
【００２４】
加熱部１５により加熱が開始されると、次亜塩素酸濃度検知部１７により水槽２内の次亜塩素酸の濃度検知が開始される。次亜塩素酸濃度が所定の値（例えば１００ｐｐｍ）以
上になると、排水部２３の切換弁２２が駆動され、洗濯液が排水路２４を通り機外へ排出される。排水が終了すると、再び給水弁１１が動作して給水が開始され、ドラム３が断続的に回転駆動し、水槽２内のすすぎを行う。次亜塩素酸濃度検知部１７が上記所定の値以上を検知しない限り、所定の内容の洗い工程を行い、その後すすぎ工程へと移行する。
【００２５】
これにより、塩素系漂白剤が投入され、使用者が誤って温水洗浄を選択した場合に、次亜塩素酸の濃度上昇を防止して異臭が発生することを防ぐことができる。なお、次亜塩素酸濃度検知は１回に限らず、２回、３回と検知することができる。
【００２６】
（実施の形態２）
次に本発明の第２の実施の形態について説明する。本実施の形態のドラム式洗濯機の構成は図１および図５に示した第１の実施の形態と同じであり、同じ構成のものは同一符号を付して説明を省略する。
【００２７】
以下、その動作、作用を図３および図５を用いて説明する。図３は本発明の実施の形態２におけるドラム式洗濯機の動作を示すフローチャートであり、図５は同洗濯機のブロック図である。
【００２８】
使用者が、筐体１の前面側に設けた扉２６を開いて開口部６からドラム３内に衣類等の洗濯物と塩素系漂白剤等を投入し、操作部２７の電源スイッチ（図示せず）をオンし、スタートスイッチ（図示せず）を操作すると、制御部２５は、給水弁１１を動作して給水を開始し、所定量の給水が行われるとドラム３を断続的に回転駆動し、洗い工程を開始する。給水は水位検知部２８（図１には図示せず）により、あらかじめ設定された水位に到達したことを検知すると停止させる。なお、水位検知はドラム３の回転駆動停止中１回に限らず、２回、３回と検知することができる。
【００２９】
給水が終了すると、加熱部１５を通電させ、洗濯液をあらかじめ設定された温度（例えば４０℃など）まで加熱するように制御される。洗濯液は温度検知部１６により検知され、設定温度（例えば４０℃など）まで加熱される。
【００３０】
加熱部１５により加熱が開始されると、次亜塩素酸濃度検知部１７により水槽２内の次亜塩素酸の濃度検知が開始される。次亜塩素酸濃度が所定の値（例えば１００ｐｐｍ）以上になると、給水部１０の給水弁１１が駆動され、給水路１２を通って水槽２内に給水される。次亜塩素酸濃度検知部１７が上記所定の値以上を検知しない限り、所定の内容の洗い工程を行い、その後すすぎ工程へと移行する。
【００３１】
これにより、塩素系漂白剤等が投入され、使用者が誤って温水洗浄を選択した場合に、水槽２内に給水されることにより、洗濯液の温度が低下し、次亜塩素酸の濃度上昇を防止して異臭が発生することを防ぐことができる。なお、次亜塩素酸濃度検知は１回に限らず、２回、３回と検知することができる。
【００３２】
なお、本実施の形態の次亜塩素酸濃度が所定の値以上になった場合の給水は、実施の形態１で述べた排水と併用してもよい。
【００３３】
（実施の形態３）
次に本発明の第３の実施の形態について説明する。本実施の形態のドラム式洗濯機の構成は、図１および図５に示した第１の実施の形態と同じであり、同じ構成のものは同一符号を付して説明を省略する。
【００３４】
本実施の形態の洗濯機は、さらに、洗濯機に通常とは異なる状況が発生したことを使用
者に報知する報知部２９（例えば、ブザー、音声や表示部）を備えている。
【００３５】
以下、その動作、作用を図４および図５を用いて説明する。図４は本発明の実施の形態３におけるドラム式の洗濯機の動作を示すフローチャートであり、図５は同洗濯機のブロック図である。
【００３６】
使用者が、筐体１の前面側に設けた扉２６を開いて開口部６からドラム３内に衣類等の洗濯物と塩素系漂白剤等を投入し、操作部２７の電源スイッチ（図示せず）をオンし、スタートスイッチ（図示せず）を操作すると、制御部２５は、給水弁１１を動作して給水を開始し、所定量の給水が行われるとドラム３を断続的に回転駆動し、洗い工程を開始する。給水は水位検知部２８（図１には図示せず）により、あらかじめ設定された水位に到達したことを検知すると停止させる。なお、水位検知はドラム３の回転駆動停止中１回に限らず、２回、３回と検知することができる。
【００３７】
給水が終了すると、加熱部１５を通電させ、洗濯液をあらかじめ設定された温度（例えば４０℃など）まで加熱するように制御される。洗濯液は温度検知部１６により検知され、設定温度（例えば４０℃など）まで加熱される。
【００３８】
加熱部１５により加熱が開始されると、次亜塩素酸濃度検知部１７により水槽２内の次亜塩素酸の濃度検知が開始される。次亜塩素酸濃度が所定の値（例えば１００ｐｐｍ）以上になると報知部２９が動作し、例えば警告音などを鳴らしたりランプを点滅したりして使用者に報知する。これと同時に、洗濯機の動作を停止したり、実施の形態１のように排水を行ったり、実施の形態２のように水槽２内に給水を行ってもよい。なお、次亜塩素酸濃度検知は１回に限らず、２回、３回と検知することができる。次亜塩素酸濃度検知部１７が上記所定の値以上を検知しない限り、所定の内容の洗い工程を行い、その後すすぎ工程へと移行する。
【００３９】
これにより、塩素系漂白剤等が投入され、使用者が誤って温水洗浄を選択し、異臭が発生した場合に、報知部２９で使用者に知らせ、それ以上の異臭の発生を防ぐことができる。
【００４０】
なお、本実施の形態３では、報知部２９として、警告音を用いたが、本発明はこれに限られず、使用者に報知するための任意の報知部（例えば筐体１の前面に設けた表示部）を用いることができる。
【００４１】
なお、本実施の形態１〜３では、次亜塩素酸濃度の閾値を１００ｐｐｍと例示したが、本発明はこれに限られず、加熱した際に異臭が発生する任意の値を適用することができる。
【００４２】
また、本実施の形態１〜３では、加熱部が洗濯液を昇温させる温度の閾値を４０℃と例示したが、本発明はこれに限られず、異臭が発生する任意の値を適用することができる。
【００４３】
また、本実施の形態１〜３では、次亜塩素酸濃度検知部として、市販されている回転金電極を用いたポーラグラフ法によるセンサを用いたが、本発明はこれに限られず、次亜塩素酸濃度を検知するための任意のセンサを用いることができる。
【産業上の利用可能性】
【００４４】
以上のように、本発明にかかる洗濯機は、温水洗浄が設定された時、次亜塩素酸濃度が所定の値を超えた場合、異臭の発生を防ぐことができるため、ドラム式に限らず塩素系漂白剤の使用が想定される洗濯機等として有用である。
【符号の説明】
【００４５】
１  筐体
２  水槽
３  ドラム
７  駆動部
１０  給水部
１５  加熱部
１７  次亜塩素酸濃度検知部
２３  排水部
２５  制御部
２９  報知部
【図１】
2015029812.tif 000003
【図２】
2015029812.tif 000004
【図３】
2015029812.tif 000005
【図４】
2015029812.tif 000006
【図５】
2015029812.tif 000007
【図６】
2015029812.tif 000008
【図７】
2015029812.tif 000009